(57)【要約】      （修正有）【課題】取換えを可能にし、さらに、極性の判断ができないことによるアダプタの買い間違いを解消できるＭＰＯ改良型光ファイバアダプタを提供する。【解決手段】上部側壁１０２、底部側壁１０４、右側側壁１０６及び左側側壁１０８が囲むようにして軸方向空洞を形成し、両端に開口１１０をそれぞれ有し、右側側壁及び左側側壁はオブジェクトに固定するための突起１１２をそれぞれ有する外殻体１０と、軸方向空洞内に設置し、開口にそれぞれ対応する左右両側には凸設する二つの係止フック１２２が延在し、上下両側には互いに相対して上内壁１２４及び下内壁１２６を有し、上内壁及び下内壁と係止フックとで矩形に近い収容空間１２８を区切り、上内壁及び下内壁の内側には上凹溝１３０及び下凹溝をそれぞれ形成する内殻体１２と、その幅が上凹溝及び下凹溝よりやや小さく、上凹溝及び下凹溝と緊密に結合し、いずれかに置換えることでアダプタに異なる極性をもたらす分極化部材１４と、を包括する。【選択図】図１
0003193285.tif 000002
【実用新案登録請求の範囲】
【請求項１】
軸方向空洞を有し、上部側壁、底部側壁、右側側壁及び左側側壁が囲むようにして形成し、前記軸方向空洞の両端は開口をそれぞれ有し、前記右側側壁及び前記左側側壁はオブジェクトに固定するための突起をそれぞれ有する外殻体と、
前記外殻体の前記軸方向空洞内に設置し、前記開口にそれぞれ対応する左右両側には凸設する二つの係止フックが延在し、上下両側には互いに相対して設置する上内壁及び下内壁を有し、前記上内壁及び前記下内壁とこれ等係止フックとで矩形に近い収容空間を区切り、前記上内壁及び前記下内壁の内側にはさらに上凹溝及び下凹溝がそれぞれ形成する内殻体と、
その幅が前記上凹溝及び前記下凹溝よりやや小さく、且つ前記上凹溝及び前記下凹溝と緊密に結合し、ユーザがそのうちのいずれかに置換えることでアダプタに異なる極性をもたらす分極化部材と、を包括し、
二つの光ファイバコネクタ同士が互いに接続し合えることを特徴とするＭＰＯ改良型光ファイバアダプタ。
【請求項２】
前記外殻体の材質は、エンジニアリングプラスティックであることを特徴とする請求項１に記載のＭＰＯ改良型光ファイバアダプタ。
【請求項３】
前記突起の外形は、台形或いは凹に近い形状のいずれか一つとすることを特徴とする請求項１に記載のＭＰＯ改良型光ファイバアダプタ。
【請求項４】
前記内殻体は、前記外殻体と一体的に成形するように形成することを特徴とする請求項１に記載のＭＰＯ改良型光ファイバアダプタ。
【請求項５】
これ等光ファイバコネクタは、二つの凹部をそれぞれ含み、これ等係止フックと係合してそれぞれが接続することを特徴とする請求項１に記載のＭＰＯ改良型光ファイバアダプタ。
【請求項６】
これ等係止フックは、同じ構成を有することを特徴とする請求項１に記載のＭＰＯ改良型光ファイバアダプタ。
【請求項７】
これ等光ファイバコネクタは、ＭＰＯ型光ファイバコネクタであることを特徴とする請求項１に記載のＭＰＯ改良型光ファイバアダプタ。
【請求項８】
前記ＭＰＯ改良型光ファイバアダプタの作業温度は、摂氏−４０度〜７５度の間に介することが望ましく、その保管環境の温度は、摂氏−４５度〜８５度の間に介することが望ましいことを特徴とする請求項１に記載のＭＰＯ改良型光ファイバアダプタ。
【考案の詳細な説明】
【技術分野】
【０００１】
本考案は、ＭＰＯ改良型光ファイバアダプタであって、特にユーザのニーズに基づき、簡単且つ迅速に極性の変化を行うＭＰＯ光ファイバアダプタに関するものである。
【背景技術】
【０００２】
情報伝達のニーズが爆発的に増えている現在において、光ファイバ通信は情報伝達の方法に革命的な変革をもたらしている。光ファイバは、よくその一端にコネクタを設置し、これ等コネクタを収容するアダプタとともに、二つの光ファイバ同士を接続し合うことで、光ファイバ部分の延伸を図っている。しかし、光ファイバアダプタの極性、即ち、方向性からすると、Ｋｅｙ  ｕｐ  ｔｏ  Ｋｅｙ  ｄｏｗｎとＫｅｙ  ｕｐ  ｔｏ  Ｋｅｙ  ｕｐとの二種類に分けることができ、ユーザは先に光ファイバコネクタの極性を明確に判断しなければ、ニーズに適した光ファイバアダプタを正確に買い求めることができない。
【０００３】
しかしながら、当該分野を熟知する者の視点から観察すると、市販の光ファイバアダプタの多くが上述した二種類であるが、多くのユーザは極性を間違えたり、極性があることすら知らずに購入するといったことがたびたび発生し、且つ使用後、極性が符合していないことが分かり、返品や交換、或いは極性を確認した後購入し直すといったことが起きている。そうなると、買い手売り手双方にとって相当な不便或いは迷惑を負うことになっている。
【０００４】
このことを鑑み、どのようにして上述したような問題を解決するかが本考案が達成しようとする目的である。
【考案の概要】
【考案が解決しようとする課題】
【０００５】
本考案の目的は、アダプタの構成を変化させ且つ分極化部材を提供することで、取換えを可能にし、さらに前記アダプタに異なる極性をもたらすことで、極性の判断ができないことにより、ユーザがアダプタを買い間違えるという迷惑を解消するために用いるＭＰＯ改良型光ファイバアダプタを提供することにある。
【課題を解決するための手段】
【０００６】
上述の目的を達成するため、本考案は、軸方向空洞を有し、上部側壁、底部側壁、右側側壁及び左側側壁が囲むようにして形成し、前記軸方向空洞の両端は開口をそれぞれ有し、前記右側側壁及び前記左側側壁はオブジェクトに固定するための突起をそれぞれ有する外殻体と、前記外殻体の前記軸方向空洞内に設置し、前記開口にそれぞれ対応する左右両側には凸設する二つの係止フックが延在し、上下両側には互いに相対して設置する上内壁及び下内壁を有し、前記上内壁及び前記下内壁とこれ等係止フックとで矩形に近い収容空間を区切り、前記上内壁及び前記下内壁の内側にはさらに上凹溝及び下凹溝がそれぞれ形成する内殻体と、その幅が前記上凹溝及び前記下凹溝よりやや小さく、且つ前記上凹溝及び前記下凹溝と緊密に結合し、ユーザがそのうちのいずれかに置換えることでアダプタに異なる極性をもたらす分極化部材と、を包括し、二つの光ファイバコネクタ同士が互いに接続し合えるＭＰＯ改良型光ファイバアダプタを提供している。
【考案の効果】
【０００７】
以上のことから、本考案のＭＰＯ改良型光ファイバアダプタは以下のような利点がある。
【０００８】
（１）ユーザは、特殊或いは特注の工具を別途に使用しない状態で、前記分極化部材だけを利用して、迅速且つ利便的に、光ファイバコネクタの極性に合わせて前記光ファイバアダプタの極性を変化させることができる。
【０００９】
（２）ユーザが適合しない光ファイバアダプタを買いすぎてしまったことによって起こるプレッシャーや光ファイバアダプタに極性があることを理解せずに適合しない光ファイバアダプタを誤って購入するといった遺憾を低減することができる。
【図面の簡単な説明】
【００１０】
【図１】本考案のＭＰＯ改良型光ファイバアダプタの極性がＫｅｙ  ｕｐ  ｔｏ  Ｋｅｙ  ｄｏｗｎである一つの実施例を示す斜視図である。
【図２】本考案のＭＰＯ改良型光ファイバアダプタの極性がＫｅｙ  ｕｐ  ｔｏ  Ｋｅｙ  ｕｐである一つの実施例を示す斜視図である。
【図３】本考案のＭＰＯ改良型光ファイバアダプタの極性がＫｅｙ  ｕｐ  ｔｏ  Ｋｅｙ  ｄｏｗｎであるもう一つの実施例を示す斜視図である。
【図４】本考案のＭＰＯ改良型光ファイバアダプタの極性がＫｅｙ  ｕｐ  ｔｏ  Ｋｅｙ  ｕｐであるもう一つの実施例を示す斜視図である。
【図５】本考案のＭＰＯ改良型光ファイバアダプタとＭＰＯ型光ファイバコネクタを示す斜視図である。
【考案を実施するための形態】
【００１１】
本考案の目的、特徴及び効果を十分に理解してもらうため、図面を参照しつつ、後述する具体的な実施例により、本考案に対して詳細な説明を行う。
【００１２】
まず、図１及び図２を参照すると、本考案のＭＰＯ改良型光ファイバアダプタの一つの実施例を示す斜視図であって、その極性はそれぞれＫｅｙ  ｕｐ  ｔｏ  Ｋｅｙ  ｄｏｗｎとＫｅｙ  ｕｐ  ｔｏ  Ｋｅｙ  ｕｐとである。前記ＭＰＯ改良型光ファイバアダプタ１は、外殻体１０と、内殻体１２と、分極化部材１４とを主に含んでいる。
【００１３】
前記外殻体１０は、軸方向空洞（図示されていない）を有しており、上部側壁１０２、底部側壁１０４、右側側壁１０６及び左側側壁１０８が囲むようにして形成し、前記軸方向空洞の両端は開口１１０をそれぞれ有し、前記右側側壁１０６及び前記左側側壁１０８は前記ＭＰＯ改良型光ファイバアダプタ１がオブジェクトに固定するための突起１１２をそれぞれ有している。そのうち、前記外殻体１０の材質はエンジニアリングプラスティックで、前記突起１１２の外形は凹に近い形状とすることができる。
【００１４】
前記内殻体１２は、前記外殻体１０と一体的に成形するように前記外殻体１０の前記軸方向空洞内に形成しており、前記開口１１０にそれぞれ対応する左右両側には凸設する二つの係止フック１２２が延在し、上下両側には互いに相対して設置する上内壁１２４及び下内壁１２６を有し、前記上内壁１２４及び前記下内壁１２６とこれ等係止フック１２２とで矩形に近い収容空間１２８を区切り、前記上内壁１２４及び前記下内壁１２６の内側にはさらに上凹溝１３０及び下凹溝１３２がそれぞれ形成し、且つこれ等係止フック１２２は同一の構成を有している。
【００１５】
前記分極化部材１４は、その幅が前記上凹溝１３０及び前記下凹溝１３２よりやや小さく、且つ前記上凹溝１３０及び前記下凹溝１３２と緊密に結合し、ユーザがそのうちのいずれかに置換えることでアダプタに異なる極性をもたらしている。ユーザが前記分極化部材１４を簡単な工具或いは手で取り出し、前記下凹溝１３２に緊密に嵌合すると、この時の前記ＭＰＯ改良型光ファイバアダプタ１の極性はＫｅｙ  ｕｐ  ｔｏ  Ｋｅｙ  ｄｏｗｎに呈しており、ユーザが前記分極化部材１４を簡単な工具或いは手で取り出し、前記上凹溝１３０に緊密に嵌合すると、この時の前記ＭＰＯ改良型光ファイバアダプタ１の極性はＫｅｙ  ｕｐ  ｔｏ  Ｋｅｙ  ｕｐに呈している。そのうち、前記ＭＰＯ改良型光ファイバアダプタ１の作業温度は、摂氏−４０度〜７５度の間に介することが望ましく、その保管環境の温度は、摂氏−４５度〜８５度の間に介することが望ましい。
【００１６】
次に、図３及び図４を参照すると、本考案のＭＰＯ改良型光ファイバアダプタのもう一つの実施例を示す斜視図であって、その極性はそれぞれＫｅｙ  ｕｐ  ｔｏ  Ｋｅｙ  ｄｏｗｎとＫｅｙ  ｕｐ  ｔｏ  Ｋｅｙ  ｕｐとである。前記外殻体１０、前記内殻体１２及び前記分極化部材１４の詳細な実施方法及びその説明は上述した図１及び図２の実施方法において掲示しているため、ここではあえて説明はしない。なお、上述した図１及び図２の実施方法と異なる箇所として、前記突起１１２の外形を台形とすることにある。また、同じように、ユーザが前記分極化部材１４を簡単な工具或いは手で取り出し、前記下凹溝１３２に緊密に嵌合すると、この時の前記ＭＰＯ改良型光ファイバアダプタ１の極性はＫｅｙ  ｕｐ  ｔｏ  Ｋｅｙ  ｄｏｗｎに呈しており、ユーザが前記分極化部材１４を簡単な工具或いは手で取り出し、前記上凹溝１３０に緊密に嵌合すると、この時の前記ＭＰＯ改良型光ファイバアダプタ１の極性はＫｅｙ  ｕｐ  ｔｏ  Ｋｅｙ  ｕｐに呈している。
【００１７】
次に、図５を参照すると、本考案のＭＰＯ改良型光ファイバアダプタとＭＰＯ型光ファイバコネクタを示す斜視図である。ユーザがＭＰＯ型光ファイバコネクタ２、３の極性を確認し、これ等に合わせて前記分極化部材１４によって前記ＭＰＯ改良型光ファイバアダプタ１の極性を変化させた後、これ等ＭＰＯ型光ファイバコネクタ２、３を前記ＭＰＯ改良型光ファイバアダプタ１の相対し合う収容空間１２８に挿入しており、この時、前記ＭＰＯ型光ファイバコネクタ２のブーツ２８及び前記ＭＰＯ型光ファイバコネクタ３のブーツ３８に対して前記ＭＰＯ改良型光ファイバアダプタ１に向かう方向に力を加わると、前記ＭＰＯ改良型光ファイバアダプタ１上にあるこれ等係止フック１２２がそれぞれ前記ＭＰＯ型光ファイバコネクタ２上にある二つの凹部２２及び前記前記ＭＰＯ型光ファイバコネクタ３上にある二つの凹部３２と緊密に係合して脱落を防ぎ、且つ前記ＭＰＯ型光ファイバコネクタ２のガイドピン２０も前記ＭＰＯ型光ファイバコネクタ３のガイド差込口３０内に挿入している。それと同時に、前記ＭＰＯ型光ファイバコネクタ２のフェルール２４は、前記ＭＰＯ型光ファイバコネクタ３のフェルール３４と接触し合うことによって、光ファイバ接続の目的を達成している。前記ＭＰＯ型光ファイバコネクタ２の弾性部材２６及び前記ＭＰＯ型光ファイバコネクタ３の弾性部材３６の内部にはバネを有する構造となっているため、これ等前記ＭＰＯ型光ファイバコネクタ２、３と、前記ＭＰＯ改良型光ファイバアダプタ１とを離脱させたい場合は、前記弾性部材２６及び前記弾性部材３６に対してＭＰＯ改良型光ファイバアダプタ１に向かう方向とは逆の方向に力を加えると、容易に離脱することができる。
【産業上の利用可能性】
【００１８】
従来の光ファイバアダプタと比べ、本考案の前記ＭＰＯ改良型光ファイバアダプタは、優れた利点を有している。まず、ユーザは、特殊或いは特注の工具を別途に使用しない状態で、前記分極化部材だけを利用して、迅速且つ利便的に、光ファイバコネクタの極性に合わせて前記光ファイバアダプタの極性を変化させることができる。また、ユーザが適合しない光ファイバアダプタを買いすぎてしまったことによって起こるプレッシャーや光ファイバアダプタに極性があることを理解せずに適合しない光ファイバアダプタを誤って購入するといった遺憾を低減することができる。
【００１９】
本考案の実施例は、すでに本文において具体的に掲示且つ叙述しているものの、本考案の分野を熟知した者にとって、前記実施例は本考案を叙述したものに過ぎないことは自明であって、本考案の範囲を限定すると解釈するものではない。本考案を逸脱しない状況における様々な変化、変更及び修正は、容易に想到することであって、本考案の分野を熟知した者が本文で述べている本考案の実施例を理解して各種代替を用いて本考案を実施することである。
【符号の説明】
【００２０】
１        ＭＰＯ改良型光ファイバアダプタ
１０      外殻体
１０２    上部側壁
１０４    底部側壁
１０６    右側側壁
１０８    左側側壁
１１０    開口
１１２    突起
１２      内殻体
１２２    係止フック
１２４    上内壁
１２６    下内壁
１２８    収容空間
１３０    上凹溝
１３２    下凹溝
１４      分極化部材
２        ＭＰＯ型光ファイバコネクタ
２０      ガイドピン
２２      凹部
２４      フェルール
２６      弾性部材
２８      ブーツ
３        ＭＰＯ型光ファイバコネクタ
３０      ガイド差込口
３２      凹部
３４      フェルール
３６      弾性部材
３８      ブーツ
【図１】
0003193285.tif 000003
【図２】
0003193285.tif 000004
【図３】
0003193285.tif 000005
【図４】
0003193285.tif 000006
【図５】
0003193285.tif 000007